(57)【要約】【課題】周方向の滑りを抑制することができる手摺材および手摺を提供すること。【解決手段】実施形態に係る手摺材は、芯材と、複数の凸片と、被覆材とを備える。芯材は、円筒状または円柱状を有する。複数の凸片は、芯材の外周面に対し、芯材の長手方向に沿って互いに間隔をあけて並べて配置される。被覆材は、芯材を複数の凸片とともに被覆する。また、凸片は、凸片を芯材の長手方向に沿って見た側面視において、被覆材との接触面の輪郭が、所定の曲率を有する仮想円弧に沿った形状に形成された２つの側部と、両端部において２つの側部の各々に連続し、側面視において、被覆材との接触面の輪郭が、仮想円弧に沿った形状以外の形状に形成された上部とを有する。【選択図】図３
2019044393.tif 000002
【特許請求の範囲】
【請求項１】
円筒状または円柱状の芯材と、
前記芯材の外周面に対し、前記芯材の長手方向に沿って互いに間隔をあけて並べて配置された複数の凸片と、
前記芯材を前記複数の凸片とともに被覆する被覆材と
を備え、
前記凸片は、
前記凸片を前記芯材の長手方向に沿って見た側面視において、前記被覆材との接触面の輪郭が、所定の曲率を有する仮想円弧に沿った形状に形成された２つの側部と、
両端部において前記２つの側部の各々に連続し、前記側面視において、前記被覆材との接触面の輪郭が、前記仮想円弧に沿った形状以外の形状に形成された上部と
を有することを特徴とする手摺材。
【請求項２】
前記凸片の上部は、
前記側面視において、前記被覆材との接触面の輪郭が直線状に形成されること
を特徴とする請求項１に記載の手摺材。
【請求項３】
前記凸片の上部は、
前記側面視において、前記被覆材との接触面の輪郭が、前記芯材側に凹んだ凹形状に形成されること
を特徴とする請求項１に記載の手摺材。
【請求項４】
前記凸片の上部は、
前記側面視において、前記被覆材との接触面の輪郭が、前記所定の曲率を有する仮想円弧よりも前記被覆材側に突出する凸形状に形成されること
を特徴とする請求項１に記載の手摺材。
【請求項５】
請求項１〜４のいずれか一つに記載の手摺材と、
設置面に固定され、前記手摺材を支持する支持部材と
を備えることを特徴とする手摺。
【発明の詳細な説明】
【技術分野】
【０００１】
開示の実施形態は、手摺材および手摺に関する。
【背景技術】
【０００２】
一般住宅や公共施設では、歩行や立ち屈みなどの動作を補助するための手摺が設置される場合がある。たとえば、一般住宅の場合、トイレ、浴室、階段、廊下、玄関等の壁面に手摺が取り付けられる。
【０００３】
かかる手摺には、使用時の滑りを抑制するために、長手方向に沿って凹凸が設けられる場合がある。
【０００４】
たとえば、特許文献１には、円筒状の中空部材の外周面に対し、厚肉突出部と薄肉突出部とを中空部材の長手方向に沿って交互に配置して、これら中空部材、厚肉突出部および薄肉突出部を被膜層で被膜した手摺が記載されている。かかる手摺によれば、長手方向における滑りを抑制することが可能である。
【先行技術文献】
【特許文献】
【０００５】
【特許文献１】特許第２８９６７５６号公報
【発明の概要】
【発明が解決しようとする課題】
【０００６】
しかしながら、上述した従来技術は、手摺の周方向における滑りを抑制することについては考慮されていなかった。
【０００７】
実施形態の一態様は、周方向の滑りを抑制することができる手摺材および手摺を提供することを目的とする。
【課題を解決するための手段】
【０００８】
実施形態の一態様に係る手摺材は、円筒状または円柱状の芯材と、前記芯材の外周面に対し、前記芯材の長手方向に沿って互いに間隔をあけて並べて配置された複数の凸片と、前記芯材を前記複数の凸片とともに被覆する被覆材とを備え、前記凸片は、前記凸片を前記芯材の長手方向に沿って見た側面視において、前記被覆材との接触面の輪郭が、所定の曲率を有する仮想円弧に沿った形状に形成された２つの側部と、両端部において前記２つの側部の各々に連続し、前記側面視において、前記被覆材との接触面の輪郭が、前記仮想円弧に沿った形状以外の形状に形成された上部とを有することを特徴とする。
【０００９】
使用者が手摺材を握って周方向に力を掛けた際に、２つの側部と上部との境界部分において、使用者の手に引っ掛かりを生じさせることができる。したがって、たとえば、両側部と上部とが円弧状に滑らかに連続する凸片を用いた場合と比較して、芯材の周方向における滑りを抑制することができる。
【００１０】
また、前記凸片の上部は、前記側面視において、前記被覆材との接触面の輪郭が直線状に形成されることを特徴とする。
【００１１】
芯材の周方向における滑りを抑制する方法としては、凸片の厚みを増やす、言い換えれば、芯材の外周面からの突出高さをより高くすることも考えられる。しかしながら、凸片の厚みが増すほど、言い換えれば、芯材の外周面からの突出高さが高くなるほど、使用者が手摺材を握った際に、凹凸形状の凸部分が使用者の指や手のひらの肉に食い込んだり関節に当たったりして使用者に痛みを与えるおそれがある。これに対し、実施形態の一態様に係る手摺材は、凸片の上部を平坦面とすることで、凸片の突出高さを抑えつつ、芯材の周方向における滑りを抑制することができる。したがって、使用者に痛みを与えにくく、且つ、芯材の周方向に滑り難い手摺材を提供することができる。
【００１２】
また、前記凸片の上部は、前記側面視において、前記被覆材との接触面の輪郭が、前記芯材側に凹んだ凹形状に形成されることを特徴とする。
【００１３】
凸片の上部を凹ませることで、凸片の突出高さを抑えつつ、芯材の周方向における滑りを抑制することができる。したがって、使用者に痛みを与えにくく、且つ、芯材の周方向に滑り難い手摺材を提供することができる。さらに、凹ませた部分に使用者の手の肉が入り込むことで、使用者の手により強い引っ掛かりを生じさせることができる。したがって、芯材の周方向における滑りを更に抑制することができる。
【００１４】
また、前記凸片の上部は、前記側面視において、前記被覆材との接触面の輪郭が、前記所定の曲率を有する仮想円弧よりも前記被覆材側に突出する凸形状に形成されることを特徴とする。
【００１５】
凸片の上部に積極的に突起を設けることで、使用者の手により引っ掛かりが生じ易くなる。言い換えれば、使用者が比較的弱い力で手摺材を握った場合でも、使用者の手に引っ掛かりを生じさせることができる。したがって、周方向における滑りをより確実に抑制することが可能である。
【００１６】
また、実施形態の一態様に係る手摺は、上述した手摺材のうちいずれか一つの手摺材と、設置面に固定され、前記手摺材を支持する支持部材とを備えることを特徴とする。
【００１７】
これにより、芯材の周方向における滑りを抑制することができる手摺を提供することができる。
【発明の効果】
【００１８】
実施形態の一態様によれば、周方向の滑りを抑制することができる。
【図面の簡単な説明】
【００１９】
【図１】図１は、第１の実施形態に係る手摺の外観斜視図である。
【図２】図２は、第１の実施形態に係る手摺を側方から見た図である。
【図３】図３は、図２のＡ−Ａ線矢視断面図である。
【図４】図４は、芯材および複数の凸片の外観斜視図である。
【図５】図５は、第１の実施形態に係る凸片を芯材の長手方向に沿って見た側面図である。
【図６】図６は、第１の実施形態に係る凸片を芯材の長手方向に沿って見た側面図である。
【図７】図７は、第１の実施形態に係る凸片を芯材の長手方向に沿って見た側面図である。
【図８】図８は、第１の実施形態に係る凸片の平面図である。
【図９】図９は、第２の実施形態に係る凸片を芯材の長手方向に沿って見た側面図である。
【図１０】図１０は、第２の実施形態に係る凸片の平面図である。
【図１１】図１１は、第３の実施形態に係る凸片を芯材の長手方向に沿って見た側面図である。
【図１２】図１２は、第３の実施形態に係る凸片の平面図である。
【発明を実施するための形態】
【００２０】
以下、添付図面を参照して、本願の開示する手摺材および手摺の実施形態を詳細に説明する。なお、以下に示す実施形態によりこの発明が限定されるものではない。たとえば、以下に示す実施形態では、本願の開示する手摺がトイレ室に設置される場合の例について説明するが、手摺の設置場所はトイレ室に限定されるものではなく、浴室、階段、廊下、玄関その他の場所であってもよい。
【００２１】
（第１の実施形態）
＜手摺の全体構成＞
まず、第１の実施形態に係る手摺の全体構成について図１および図２を参照して説明する。図１は、第１の実施形態に係る手摺の外観斜視図であり、図２は、第１の実施形態に係る手摺を側方から見た図である。以下では、位置関係を明確にするために、互いに直交するＸ軸、Ｙ軸およびＺ軸を規定し、Ｚ軸正方向を鉛直上向き方向とする。
【００２２】
図１に示すように、第１の実施形態に係る手摺１００は、トイレ室Ｒに配置される。手摺１００は、便器Ｕの側方に位置する壁面Ｗに取り付けられる。
【００２３】
なお、手摺１００は、壁面Ｗに対して縦向きに取り付けられるものとするが、手摺１００の取り付け向きは縦向きに限定されない。たとえば、手摺１００を廊下に設置する場合、手摺１００は、廊下の壁面に対して横向きに取り付けられてもよい。
【００２４】
図２に示すように、手摺１００は、手摺材１と、２つの支持部２とを備える。手摺材１は、使用者によって握られる棒状の部材である。２つの支持部２は、手摺材１を壁面Ｗに固定するための部材であり、手摺材１の両端部に取り付けられる。
【００２５】
２つの支持部２は、壁面Ｗに対して例えばネジ止めされる。これにより、手摺材１は、壁面Ｗから離間した状態で２つの支持部２によって支持される。
【００２６】
なお、手摺１００の設置面は、壁面に限定されない。たとえば、手摺１００は、床面（たとえば階段の踏面など）に固定されて上方に延在する複数の支持部２（いわゆる手すり子）によって手摺材１が支持された床支持タイプの手摺であってもよい。
【００２７】
図２に示すように、手摺材１には、手摺材１の長手方向に沿って凹凸形状が設けられる。これにより、手摺材１の長手方向における滑りを抑制することができる。なお、意匠性の観点から、手摺材１の凹凸形状は、壁面Ｗ側に設けられる。
【００２８】
第１の実施形態に係る手摺材１は、かかる凹凸形状を工夫することにより、手摺材１の長手方向における滑りだけでなく、周方向における滑りを抑制することを可能とする。以下、第１の実施形態に係る手摺材１の具体的な構成について説明する。
【００２９】
＜手摺材の全体構成＞
図３は、図２のＡ−Ａ線矢視断面図である。また、図４は、芯材および複数の凸片の外観斜視図である。
【００３０】
図３および図４に示すように、手摺材１は、芯材１０と、複数の凸片２０と、被覆材３０とを備える。
【００３１】
芯材１０は、円筒状の部材であり、たとえば金属または樹脂等で形成される。なお、芯材１０は、円筒状に限らず、円柱状であってもよい。
【００３２】
芯材１０は、周方向と直交する方向、ここではＺ軸方向に延在する。すなわち、芯材１０は、Ｚ軸方向を長手方向としており（図４参照）。この長手方向に対して垂直な断面の輪郭は、円形、具体的には、真円である（図３参照）。
【００３３】
複数の凸片２０は、芯材１０の外周面に対し、芯材１０の長手方向であるＺ軸方向に沿って互いに間隔をあけて並べて配置される。各凸片２０は、たとえば樹脂で形成される。
【００３４】
被覆材３０は、芯材１０を複数の凸片２０とともに被覆する部材である。被覆材３０は、たとえば樹脂で形成される。
【００３５】
上記のように構成された手摺材１は、たとえば、芯材１０の外周面に複数の凸片２０を芯材１０の長手方向に沿って互いに間隔をあけて並べて配置した状態で、芯材１０と複数の凸片２０とを押出成形によって被覆材３０で被覆することにより形成される。芯材１０と被覆材３０との間に複数の凸片２０が介在することで、被覆材３０の外表面、すなわち、手摺材１の外表面に凹凸形状が形成される。
【００３６】
＜凸片の構成＞
次に、凸片２０の構成について図５〜図８を参照して具体的に説明する。図５〜図７は、第１の実施形態に係る凸片２０を芯材１０の長手方向に沿って見た側面図であり、図８は、第１の実施形態に係る凸片２０の平面図である。なお、図６においては、凸片２０の２つの側部２１における被覆材３０との接触面２１１を実線で示し、凸片２０のその他の部分を破線で示している。また、図７および図８においては、凸片２０の上部２２における被覆材３０との接触面２２１を実線で示し、凸片２０のその他の部分を破線で示している。
【００３７】
図５に示すように、凸片２０は、芯材１０の周方向に沿って湾曲したアーチ状の部材であり、芯材１０の径方向外方に所定の厚みを有する。かかる凸片２０は、２つの側部２１と、両端部において２つの側部２１の各々に連続する上部２２とを備える。
【００３８】
図６に示すように、凸片２０の２つの側部２１は、側面視において、被覆材３０との接触面２１１の輪郭が、所定の曲率を有する仮想円弧Ｖ１に沿った形状に形成される。
【００３９】
一方、凸片２０の上部２２は、側面視において、被覆材３０との接触面２２１の輪郭が、仮想円弧Ｖ１に沿った形状以外の形状に形成される。
【００４０】
具体的には、図７および図８に示すように、凸片２０の上部２２には、平坦面２２１ａと、２つの傾斜面２２１ｂとを有する。平坦面２２１ａは、側面視において、凸片２０の厚み方向（Ｙ軸方向）に対して垂直な面である。言い換えれば、平坦面２２１ａは、側面視において、芯材１０の中心Ｐと凸片２０の中心とを結ぶ直線Ｌに対して垂直な面である。また、平坦面２２１ａは、手摺１００が壁面Ｗに取り付けられた場合に、壁面Ｗと平行となる面である。かかる平坦面２２１ａは、図７に示すように、側面視において直線形状を有する。
【００４１】
２つの傾斜面２２１ｂは、平坦面２２１ａと、側部２１における被覆材３０との接触面２１１とに連接する面である。ここでは、２つの傾斜面２２１ｂも平坦面であるものとするが、２つの傾斜面２２１ｂは、曲面状に形成されてもよい。
【００４２】
上述したように、第１の実施形態に係る手摺材１は、芯材１０と、複数の凸片２０と、被覆材３０とを備える。芯材１０は、円筒状または円柱状を有する。複数の凸片２０は、芯材１０の外周面に対し、芯材１０の長手方向に沿って互いに間隔をあけて並べて配置される。被覆材３０は、芯材１０を複数の凸片２０とともに被覆する。また、凸片２０は、凸片２０を芯材１０の長手方向に沿って見た側面視において、被覆材３０との接触面２１１の輪郭が、所定の曲率を有する仮想円弧Ｖ１に沿った形状に形成された２つの側部２１と、両端部において２つの側部２１の各々に連続し、側面視において、被覆材３０との接触面２２１の輪郭が、仮想円弧Ｖ１に沿った形状以外の形状に形成された上部２２とを有する。
【００４３】
このように、凸片２０の上部２２の形状を、上記仮想円弧Ｖ１に沿った形状以外の形状とすることで、使用者が手摺材１を握って周方向に力を掛けた際に、２つの側部２１と上部２２との境界部分において、使用者の手に引っ掛かりを生じさせることができる。したがって、両側部と上部とが円弧状に滑らかに連続する凸片を用いた場合と比較して、芯材１０の周方向における滑りを抑制することができる。
【００４４】
また、第１の実施形態に係る手摺材１において、凸片２０の上部２２は、側面視において、被覆材３０との接触面２２１の輪郭が直線状に形成される。すなわち、凸片２０の上部２２は、平坦面２２１ａを有する。
【００４５】
芯材の周方向における滑りを抑制する方法としては、凸片の厚みを増やす、言い換えれば、芯材の外周面からの突出高さをより高くすることも考えられる。しかしながら、凸片の厚みが増すほど、言い換えれば、芯材の外周面からの突出高さが高くなるほど、使用者が手摺材を握った際に、凹凸形状の凸部分が使用者の指や手のひらの肉に食い込んだり関節に当たったりして使用者に痛みを与えるおそれがある。
【００４６】
これに対し、第１の実施形態に係る手摺材１は、凸片２０の上部２２を平坦面２２１ａとすることで、凸片２０の突出高さを抑えつつ、芯材１０の周方向における滑りを抑制することができる。したがって、使用者に痛みを与えにくく、且つ、芯材１０の周方向に滑り難い手摺材１を提供することができる。握った際の痛みが低減されることで、使用者は、より力を入れて手摺材１を握ることができるようになる。これにより、芯材１０の周方向への滑りが更に抑制される。
【００４７】
なお、ここでは、凸片２０に平坦面２２１ａが１つだけ形成される場合の例について説明したが、平坦面２２１ａは、凸片２０に対して芯材１０の周方向に沿って複数形成されてもよい。
【００４８】
（第２の実施形態）
次に、第２の実施形態に係る凸片の構成について図９および図１０を参照して説明する。図９は、第２の実施形態に係る凸片を芯材１０の長手方向に沿って見た側面図である。また、図１０は、第２の実施形態に係る凸片の平面図である。
【００４９】
図９および図１０に示すように、第２の実施形態に係る凸片２０Ａの上部２２Ａは、側面視において、被覆材３０との接触面２２１Ａの輪郭が、芯材１０側に凹んだ凹形状に形成される。
【００５０】
具体的には、凸片２０Ａの上部２２Ａには、凹面２２１Ａａと、２つの上り傾斜面２２１Ａｂとを有する。図９に示すように、凹面２２１Ａａは、側面視において、芯材１０の中心Ｐと凸片２０Ａの中心とを結ぶ直線Ｌに対して垂直な面（第１の実施形態における平坦面２２１ａに相当）を芯材１０の中心Ｐに向かって凹ませた面である。
【００５１】
より具体的には、凹面２２１Ａａは、芯材１０の長手方向に沿って延在する底面部分２２１Ａａａと、底面部分２２１Ａａａに対し、周方向における一端側および他端側からそれぞれ底面部分２２１Ａａａに向かって下り傾斜する２つの下り傾斜面２２１Ａａｂとを有する。
【００５２】
２つの上り傾斜面２２１Ａｂは、凹面２２１Ａａにおける下り傾斜面２２１Ａａｂと、側部２１における被覆材３０との接触面２１１とに連接する面であり、接触面２１１から下り傾斜面２２１Ａａｂに向かって上り傾斜する。
【００５３】
上述したように、第２の実施形態に係る凸片２０Ａの上部２２Ａは、側面視において、被覆材３０との接触面２２１Ａの輪郭が、芯材１０側に凹んだ凹形状に形成される。なお、接触面２２１Ａのそれぞれの部分は、側面視において滑らかな曲線で連続するように形成されていてもよい。
【００５４】
このように、凸片２０Ａの上部２２Ａを凹ませることで、第１の実施形態に係る凸片２０と同様、凸片２０Ａの突出高さを抑えつつ、芯材１０の周方向における滑りを抑制することができる。したがって、使用者に痛みを与えにくく、且つ、芯材１０の周方向に滑り難い手摺材１を提供することができる。さらに、凹ませた部分（凹面２２１Ａａ）に使用者の手の肉が入り込むことで、第１の実施形態に係る凸片２０のように上部２２に平坦面２２１ａを設けた場合と比較して、使用者の手により強い引っ掛かりを生じさせることができる。したがって、芯材１０の周方向における滑りを更に抑制することができる。
【００５５】
なお、ここでは、凸片２０Ａに凹面２２１Ａａが１つだけ形成される場合の例について説明したが、凹面２２１Ａａは、凸片２０Ａに対して芯材１０の周方向に沿って複数形成されてもよい。
【００５６】
（第３の実施形態）
次に、第３の実施形態に係る凸片の構成について図１１および図１２を参照して説明する。図１１は、第３の実施形態に係る凸片を芯材１０の長手方向に沿って見た側面図である。また、図１２は、第３の実施形態に係る凸片の平面図である。
【００５７】
図１１および図１２に示すように、第３の実施形態に係る凸片２０Ｂの上部２２Ｂは、側面視において、被覆材３０との接触面２２１Ｂの輪郭が、仮想円弧Ｖ２に沿って被覆材３０側すなわち壁面Ｗ側に突出する凸形状に形成される。仮想円弧Ｖ２は、仮想円弧Ｖ１の曲率と異なる曲率を有する。具体的には、仮想円弧Ｖ２は、仮想円弧Ｖ１の曲率よりも大きな曲率を有する。したがって、接触面２２１Ｂは、側面視において、仮想円弧Ｖ１よりも被覆材３０側、言い換えれば、壁面Ｗ側に突出する。
【００５８】
上述したように、第３の実施形態では、凸片２０Ｂにおける上部２２Ｂの形状を、被覆材３０側に突出する凸形状とした。このように、積極的に突起を設けることで、上述した第１の実施形態および第２の実施形態に係る凸片２０，２０Ａと比較して、使用者の手に引っ掛かりを生じさせ易くなる。言い換えれば、使用者が比較的弱い力で手摺材１を握った場合でも、使用者の手に引っ掛かりを生じさせることができる。したがって、周方向における滑りをより確実に抑制することが可能である。
【００５９】
なお、ここでは、凸片２０Ｂに凸形状の接触面２２１Ｂが１つだけ形成される場合の例について説明したが、接触面２２１Ｂは、凸片２０Ｂに対して芯材１０の周方向に沿って複数形成されてもよい。
【００６０】
また、ここでは、凸片２０Ｂの上部２２Ｂが仮想円弧Ｖ２に沿って形成される場合の例について説明したが、凸片２０Ｂの上部２２Ｂは、少なくとも仮想円弧Ｖ１よりも被覆材３０側すなわち壁面Ｗ側に突出していればよく、必ずしも仮想円弧Ｖ２に沿って形成されることを要しない。
【００６１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６２】
Ｒ  トイレ室
Ｕ  便器
Ｖ１，Ｖ２  仮想円弧
Ｗ  壁面
１  手摺材
２  支持部
１０  芯材
２０  凸片
２１  側部
２２  上部
２１１，２２１  接触面
２２１ａ  平坦面
２２１ｂ  傾斜面
３０  被覆材
１００  手摺
【図１】
2019044393.tif 000003
【図２】
2019044393.tif 000004
【図３】
2019044393.tif 000005
【図４】
2019044393.tif 000006
【図５】
2019044393.tif 000007
【図６】
2019044393.tif 000008
【図７】
2019044393.tif 000009
【図８】
2019044393.tif 000010
【図９】
2019044393.tif 000011
【図１０】
2019044393.tif 000012
【図１１】
2019044393.tif 000013
【図１２】
2019044393.tif 000014